(57)【要約】【課題】釣糸ガイドの耐久性が向上し且つ種々の釣りの状況にも対応し得る釣糸ガイドを有する釣竿を提供する。【解決手段】この釣竿の中竿３の穂先側の周面には釣糸ガイド群１０が備えられている。この釣糸ガイド群１０は、周方向に変位して配置される複数の釣糸ガイド１１からなり、個々の釣糸ガイド１１は金属線材を略Ｕ字型に折り曲げて形成されたものである。釣人は、任意の釣糸ガイド１１を選択して、ここに釣糸を挿通させて、釣りをおこなう。【選択図】      図１
2004254652.tif 000002
【特許請求の範囲】
【請求項１】
魚釣りに用いるであって、
竿体と、前記竿体の周面に配置された釣糸を案内するための釣糸ガイド群とを備え、
前記釣糸ガイド群は、前記竿体の軸方向の一定の位置に於いて周方向に変位して配置される複数の釣糸ガイドからなり、前記釣糸ガイドは金属線材を略Ｕ字型に折り曲げて形成されたものである、釣竿。
【請求項２】
前記釣糸ガイド群を構成する釣糸ガイドは、前記竿体の軸方向の一定の位置に於いて周方向に等間隔に変位して２〜４個配置されている、請求項１に記載の釣竿。
【請求項３】
前記釣糸ガイドはそれぞれ大きさが異なる、請求項２に記載の釣竿。
【発明の詳細な説明】
【０００１】
【発明の属する技術分野】
本発明は、竿体の外周面に釣糸ガイドが配置されている釣竿に関する。特に、一般に「Ｕガイド」と呼ばれている、比較的小さな屈曲自在な金属線材からなる釣糸ガイドを有する釣竿に関する。
【０００２】
【従来の技術】
魚釣りに用いる釣竿の竿体の外周面には、リールと穂先側との間で釣糸を支持しつつ案内する釣糸ガイドが設けられている。この釣糸ガイドには、金属板などを打ち抜き所定の形状に加工したものがある。この種の釣糸ガイドは、金属板などからなるガイド本体にセラミックスなどの硬質部材からなるリングをはめ込み、ガイド本体を竿体の周面に巻糸などで固定するタイプのものである。また、他種の釣糸ガイドとして「Ｕガイド」と呼ばれるタイプのものもある。この「Ｕガイド」は、略Ｕ字状に金属線材を折り曲げ、その両端を竿体周面に当接させ、巻糸などで竿体周面に固定したものである。折り曲げられた金属線材自体が釣糸を案内する（例えば、特許文献１参照）。
【０００３】
【発明が解決しようとする課題】
このような「Ｕガイド」は、竿体周面から竿体の軸方向に対して斜め方向に低く起立して極力小さく設計されており、いわゆる「糸ふけ」が生じ難く、糸絡みも生じ難いので、広く用いられている。また、「Ｕガイド」を構成する金属線材はステンレス合金など比較的屈曲性を有するものが採用されており、釣人が任意に線材の起立方向を調整し、釣りの状況に対応できることもメリットとされている。
【０００４】
しかし、一方で「Ｕガイド」は、直接金属線材で釣糸を案内しておりセラミックスなどの硬質リングを備えるものではないので耐久性に乏しい。このため、通常、１〜２シーズン毎に「Ｕガイド」自体を交換せざるをえない。
また、「Ｕガイド」はその角度を任意に調整し得るとしても、その大きさ自体が変化するものではなく、必ずしも様々な釣りの状況に対応し得るものでものない。
【０００５】
本発明の課題は、釣糸ガイドの耐久性が向上し且つ種々の釣りの状況にも対応し得る釣糸ガイドを有する釣竿を提供することにある。
【０００６】
【課題を解決するための手段】
発明１の釣竿は、魚釣りに用いるであって、竿体と、竿体の周面に配置された釣糸を案内するための釣糸ガイド群とを備える。この釣糸ガイド群は、竿体の軸方向の一定の位置に於いて周方向に変位して配置される複数の釣糸ガイドからなり、釣糸ガイドは金属線材を略Ｕ字型に折り曲げて形成されたものである。
【０００７】
この釣竿では、竿体に装着したリールより導出されてくる釣糸が釣糸ガイドのＵ字型に折り曲げられた部分を挿通する。そして、釣糸ガイドがこの釣糸を支持して案内する。釣人は周方向に変位して複数配置される釣糸ガイドの中から任意の釣糸ガイドを選択し、これを利用する。複数の釣糸ガイドを順次利用することで、耐久寿命が長くなる。
【０００８】
なお、この種の釣糸ガイド（Ｕガイド）が装着される釣竿の多くは、複数の竿体が振出形式に連結されたタイプのものである。即ち、この種の釣糸ガイドは竿体周面から竿体の軸方向に対して斜め方向に低く起立して極力小さく設計されており、小径の竿体を竿元側の大径の竿体内に釣糸ガイド共に収納できる。この際、やむを得ず、釣糸ガイドが大径の竿体の内周面に接触してしまい、小径の竿体の外周面と大径の竿体内周面との摩耗が生じる。つまり、旧来の釣糸ガイドが軸方向の一定の箇所に１つのみしか配置されていない釣竿では、小径の竿体の１つの釣糸ガイドが障害物となり、小径の竿体の１つの釣糸ガイドが配置された周方向位置の反対側の外周面ばかりが大径の竿体の内周面と繰り返し接触して摩耗するのである（図５参照）。
【０００９】
この釣竿のように釣糸ガイドが周方向に複数配置されていると、このような一カ所のみの竿体同士の接触摩耗が生じず、竿体自体の耐久性も向上する。
発明２の釣竿は、発明１の釣竿であり、釣糸ガイド群を構成する釣糸ガイドは、竿体の軸方向の一定の位置に於いて周方向に等間隔に変位して２〜４個配置されている。
【００１０】
釣人は、２〜４個の釣糸ガイドの中から任意の釣糸ガイドを選択して釣りをおこなう。
発明３の釣竿は、発明２の釣竿であり、釣糸ガイドはそれぞれ大きさが異なる。
釣人は、釣りの状況に応じて、大きさの異なる釣糸ガイドの中から任意の釣糸ガイドを選択して釣糸を挿通し、釣りをおこなう。
【００１１】
【発明の実施の形態】
［第１実施形態］
以下、本発明の第１実施形態について図面を参照しつつ説明する。
本発明の第１実施形態を採用した釣竿は、図１に示すように、元竿１と、その穂先側に順次振出形式で連結される、元上竿２，中竿３，穂先竿４とからなる。各竿体は、先細りテーパの施された筒状体であり、穂先側に位置する竿体から順次竿元側の竿体内に収納自在である。元竿１の周面には、リール（図示せず）を脱着自在に装着可能なリールシート５が取り付けられており、穂先側端部周面には元竿用の釣糸ガイド７が装着されている。また、元上竿２，中竿３の穂先側端部の周面には後述の釣糸ガイド群１０が装着されている。さらに、穂先竿４の周面にも軸方向に間隔を隔てて複数の釣糸ガイド群１０が装着され、穂先竿４の穂先側端部にはトップガイド６が取り付けられている。
【００１２】
次に、釣糸ガイド１０群につき、中竿３を例にして説明する。
図２及び図３に示すように、釣竿ガイド１０群は、中竿３の穂先側端部の外周面に固定される４つの釣糸ガイド１１部材からなる。４つの釣糸ガイド１１が周方向に於いて等間隔に変位しつつ配置され、巻糸１２で中竿３の周面に固定されている。
【００１３】
釣糸ガイド１１は、ステンレスの線材からなり、この線材をその長手方向中央付近において略Ｕ字型に湾曲させたものである。線材の長手方向両端を中竿３の周面に当接させた上で、Ｕ字型部分が穂先側に位置するようにして、巻糸１２を巻き付けて中竿３の周面に固定される。Ｕ字型に折り曲げられた部分は中竿３の周面より穂先側斜め方向に起立するように屈曲させる。この線材はステンレス素材からなり、この起立する角度は任意に調整可能である。
【００１４】
釣糸ガイド１１は、上述のように周方向に離れて４つのものが配置されている。４つのそれぞれの釣糸ガイド１１は同種のものである。４つの釣糸ガイド１１を並べて配置した上で、４つの釣糸ガイド１１をまとめて巻糸１２で中竿３の周面に固定している。この巻糸１２に関しては、巻回後に合成樹脂等でコーティングしてもよい。この４つの釣糸ガイド１１の中の任意の釣糸ガイド１１の線材をリールからの釣糸が挿通することになる。
【００１５】
なお、この釣糸ガイド群１０に関しては、元上竿２や穂先竿４についても同様である。上述のように、４つの釣糸ガイド１１の中の任意の釣糸ガイド１１に釣糸を挿通させるため、それぞれの竿体において周方向の位置調整が必要となる。このため、各竿体の連結部分の周面に周方向の位置合わせのためのマーキング等を施しておく。
【００１６】
また、穂先竿４の穂先側にはトップガイド６が装着される。このトップガイド６は合成樹脂若しくは金属等のガイド本体にセラミックスなどの硬質のガイドリングをはめ込んだタイプのものである。トップガイド６は１つであるが、上述のように竿体を周方向の任意の位置で使用するため、トップガイド６は周方向の任意に位置に於いて固定できるようになっている。例えば、トップガイド６は穂先竿４の穂先側端部に対して嵌着式にする。
【００１７】
この釣竿では、使用時には、各竿体を穂先側に引き出して相互に連結して一本の釣竿とする。そして、釣糸ガイド群１０を構成する釣糸ガイド１１の任意のものが、軸方向においてリールシート５と一致するように各竿体の周方向位置を揃える。また、トップガイド６もこれらの釣糸ガイド１及びリールシート５にあわせて周方向の位置決めを行う。そして、元竿１のリールシート５に装着したリールより導出されてくる釣糸を釣糸ガイドのＵ字型に折り曲げられた部分に順次挿通させて、トップガイド６へと導く。このように、釣人は周方向に変位して複数配置される釣糸ガイド１１の中から任意の釣糸ガイド１１を選択し、これを利用する。複数の釣糸ガイド１１を順次利用することで、耐久寿命が長くなる。
【００１８】
また、穂先側に位置する竿体を収納する際にも、この釣竿では竿体同士の摩耗を防止できる。例えば、中竿３を元上竿２に内に収納する際に、釣糸ガイド１１が周方向に複数配置されていると、中竿３の外周面の周方向の一部分のみと元上竿２の内取面とのみが繰り返し接触摩耗することなく、竿体自体の耐久性も向上する。
【００１９】
［他の実施形態］
（ａ）釣糸ガイド群の変形例を、図４に示す。
この釣糸ガイド群２０も、上記実施形態と同様に、中竿３の穂先側端部外周面に装着されている。釣糸ガイド群２０は、中竿３の周面に周方向に等間隔に変位している４つの釣糸ガイド２１と、これらの釣糸ガイド２１を中竿３の周面に固定する巻糸２２とからなる。この釣糸ガイド２１はそれぞれ大きさが異なり、周方向に向かって順次大きくなるように釣糸ガイド２１が配置されている。この場合、釣りの状況に応じて、大きさの異なる釣糸ガイド２１の中から任意の釣糸ガイド２１を選択して釣糸を挿通し、釣人は釣りをおこなうことになる。
（ｂ）上記実施形態では、釣糸ガイド群を４つの釣糸ガイドから構成しているが、その数は任意に設定可能である。少なくとも２つの釣糸ガイドがあれば、釣人は任意にこれを選択して利用できる。
【００２０】
【発明の効果】
本発明に係る釣竿によれば、釣糸ガイドの耐久性も向上し、且つ種々の釣りの状況にも対応し得る。
【図面の簡単な説明】
【図１】本発明の第１実施形態を採用した釣竿の全体図。
【図２】図１の中竿３の穂先側付近を示した図。
【図３】図２の参考図。
【図４】本発明の第２実施形態を採用した中竿３を示した図。
【図５】従来の釣竿の態様を示した図。
【符号の説明】
１  元竿
２  元上竿
３  中竿
４  穂先竿
１０，２０  釣糸ガイド群
１１，２１  釣糸ガイド
【図１】
2004254652.tif 000003
【図２】
2004254652.tif 000004
【図３】
2004254652.tif 000005
【図４】
2004254652.tif 000006
【図５】
2004254652.tif 000007